(57)【要約】      （修正有）【課題】水量制御弁ハンドルの二段式制御構造を提供する。【解決手段】径方向貫通収納孔１２と、階段状作動バー１３と、内部収納槽と、弾性拡張部品１５と、当接ガイド面２２とを備える。径方向貫通収納孔は、ハンドル１０を貫通するように設けられる。階段状作動バーは、軸方向移動可能に径方向貫通収納孔に収納され、収納穴の両端にそれぞれ挿入される大、小径部１３２，１３４を備える。内部収納槽は、径方向貫通収納孔内に設けられ、ハンドルが垂直角度の閉鎖モードになるとき、内部収納槽の位置と階段状作動バーの小径部の位置とが対応する。弾性拡張部品は、内部収納槽内に収納され、穿設部１５２を備える。穿設部の内径は小径部の外径より大きく、かつ大径部の外径より小さい。穿設部は、力を受けるときに拡張し、かつ元の形状に復帰する弾力を有する。当接ガイド面は、回転台２０の管口２１内に縦方向に形成される。【選択図】図２
0003191197.tif 000002
【実用新案登録請求の範囲】
【請求項１】
水量制御弁（Ｂ）において、回転可能に設けられたハンドル（１０）と該ハンドル（１０）の外周に設けられた回転台（２０）とが対応する箇所に設けられる、水量制御弁ハンドルの二段式制御構造（Ａ）であり、
該ハンドル（１０）は、回転台（２０）の管口（２１）に挿入される横軸（１１）を備え、該二段式制御構造（Ａ）は、径方向貫通収納孔（１２）と、階段状作動バー（１３）と、内部収納槽（１４）と、弾性拡張部品（１５）と、当接ガイド面（２２）とを備え、
前記径方向貫通収納孔（１２）は、ハンドル（１０）の横軸（１１）の下方から所定の距離離れた箇所に設けられ、かつ径方向に沿ってハンドル（１０）を貫通するように設けられ、
前記階段状作動バー（１３）は、軸方向移動可能に前記径方向貫通収納孔（１２）に収納され、該階段状作動バー（１３）は、大径部（１３２）と小径部（１３４）を備え、該小径部（１３４）の外径は大径部（１３２）より小さく、該大径部（１３２）と小径部（１３４）の端部はそれぞれ、向径方向に沿って収納穴（１２）の両端に挿入され、
前記内部収納槽（１４）は、孔径が拡大された状態に前記径方向貫通収納孔（１２）内の所定の箇所に設けられ、ハンドル（１０）が垂直角度の閉鎖モードになるとき、該内部収納槽（１４）の位置と階段状作動バー（１３）の小径部（１３４）の位置とが対応し、
前記弾性拡張部品（１５）は、前記内部収納槽（１４）内に収納され、該弾性拡張部品（１５）は、階段状作動バー（１３）を挿入させる穿設部（１５２）を備え、該穿設部（１５２）の内径は、階段状作動バー（１３）の小径部（１３４）の外径より大きく、かつ大径部（１３２）の外径より小さく設けられ、該穿設部（１５２）は、力を受けるときに拡張し、かつ元の形状に復帰する弾力を有しており、
前記当接ガイド面（２２）は、回転台（２０）の管口（２１）の内壁の箇所に縦方向に延伸状態に形成され、該当接ガイド面（２２）は、階段状作動バー（１３）の大径部（１３２）の端部に常に当接されて、大径部（１３２）の端部が自由に移動しないようガイドすることを特徴とする水量制御弁ハンドルの二段式制御構造。
【請求項２】
前記弾性拡張部品（１５）は、Ｃ文字形部品又は弾性リングであることを特徴とする請求項１に記載の水量制御弁ハンドルの二段式制御構造。
【請求項３】
前記ハンドル（１０）の片側において、横軸（１１）の下方から所定の距離離れた箇所には、組付穴（１６）が更に設けられ、該組付穴（１６）の内端が該内部収納槽（１４）に連通されていることにより、弾性拡張部品（１５）を該組付穴（１６）から内部収納槽（１４）内に取り付けることができることを特徴とする請求項２に記載の水量制御弁ハンドルの二段式制御構造。
【請求項４】
前記階段状作動バー（１３）の軸方向と、前記ハンドル（１０）の横軸（１１）の軸方向とが垂直に配置されることを特徴とする請求項３に記載の水量制御弁ハンドルの二段式制御構造。
【考案の詳細な説明】
【技術分野】
【０００１】
本考案は、水量制御弁の局所の構造に関し、特に水量制御弁ハンドルの二段式制御構造に関する。
【背景技術】
【０００２】
水量制御弁は、給水モードと止水モードとの間で切り替えることにより、給水量を制御する構造を有している。すなわち、水量制御弁ハンドルの回転角度を調整することにより給水量を制御する。該ハンドルの回転角度は、蛇口のハンドルを回転させる角度に対応する。周知のように、ハンドルを閉鎖モードから給水モードに回転させるとき、該ハンドルが回転する角度は、わずか２５度〜３５度ほどである。すなわち、ハンドルが回転する角度が非常に小さい。
【０００３】
近年、気候変動により水資源不足の問題が頻繁に発生するので、給水制御装置を改良して水制約の効果を奏する技術は、関連業者の関心を集める重要な課題となっている。蛇口のハンドルを操作するとき、わずかな力でハンドルを上へ回転させることにより、ハンドルを全開の角度まで回転させることができる。蛇口を上述したように使うことにより、水が浪費されるか、流失してしまう問題があるが、使用者の使い方を容易に直すことができない。すなわち、使用者が今まで使ってきた習慣を容易に直すことができない。したがって、水量制御弁の構造を改良して上述した問題を解決することは、実現することができる対策だと思われる。
【０００４】
現在、関連業界で、段階的な係合によりハンドルの位置を決める水量制御弁ハンドルを開発した。すなわち、ハンドルを階段的に制御することにより、水を節約する効果を果たしている。しかし、上述した従来の製品は、次のような問題と欠点を有している。従来の水量制御弁ハンドルにおいて、段階的な係合によりハンドルの位置を決める構造は通常、連動ボールを所定の係合穴に係合させることにより実現する。このような構造において、連動ボールは、金属球体と、金属球体を押動するバネとで構成される。しかし、該金属球とバネの体積を相当に小さくしなければ、水量制御弁内の狭い空間に取り付けることができない。また、各部品が小さすぎると、各部品を容易に組み立てることができず、製造効率が悪くなり、不具合発生率が高くなる恐れがある。
【０００５】
上述した従来の水量制御弁ハンドル構造に存在する問題を解決するため、より理想的で、実用性のある新規な水量制御弁を開発することが、関連業者が努力する目標と方向になっている。
【０００６】
本考案者は、関連製品の製造、開発や設計などを長年やってきた経験により、細かい設計及び実験をやった結果、上述した問題を解決し、実用性のある本考案を得た。
【考案の概要】
【考案が解決しようとする課題】
【０００７】
本考案は、水量制御弁ハンドルの二段式制御構造を提供することを目的とする。本考案が解決しようとする技術課題は、より理想的で、実用性のある新規な水量制御弁ハンドル制御構造を提供することにある。
【課題を解決するための手段】
【０００８】
本考案の二段式制御構造は、水量制御弁において、回転可能に設けられたハンドルと、該ハンドルの外周に設けられた回転台とが対応する箇所に設けられる制御構造。該ハンドルは、回転台の管口に挿入される横軸を備える。前記二段式制御構造は、径方向貫通収納孔と、階段状作動バーと、内部収納槽と、弾性拡張部品と、当接ガイド面２２とを含む。径方向貫通収納孔は、ハンドルの横軸の下方から所定の距離離れた箇所に設けられ、かつ径方向に沿ってハンドルを貫通するように設けられる。階段状作動バーは、軸方向移動可能に前記径方向貫通収納孔に収納される。該階段状作動バーは、大径部と小径部を備える。該小径部の外径は、大径部より小さく、該大径部と小径部の端部はそれぞれ、向径方向に沿って収納穴の両端に挿入される。前記内部収納槽は、穴径が拡大された状態に前記径方向貫通収納孔内の所定の箇所に設けられる。ハンドルが垂直角度の閉鎖モードになるとき、該内部収納槽の位置と階段状作動バーの小径部の位置とが対応するようになる。前記弾性拡張部品は、前記内部収納槽内に収納される。該弾性拡張部品は、階段状作動バーを挿入させる穿設部を備え、該穿設部の内径は、階段状作動バーの小径部の外径より大きく、かつ大径部の外径より小さく設けられる。該穿設部は、力を受けるときに拡張し、かつ元の形状に復帰する弾力を有する。前記当接ガイド面は、回転台の管口の内壁の所定の箇所に設けられ、かつ縦方向に延伸された形状を有する。該当接ガイド面は、階段状作動バーの大径部の端部に常に当接され、大径部の端部が自由に移動しないようにガイドする。
【考案の効果】
【０００９】
本考案が上述した新規な構造を有しているので、ハンドルが垂直角度の閉鎖モードになるとき、弾性拡張部品と階段状作動バーの小径部とが対向するようになる。ハンドルが傾斜角度の給水モードになるとき、階段状作動バーが径方向貫通収納孔内で小径部端部の側へ移動する。弾性拡張部品が小径部から大径部に移動する過程で、ハンドルの回転に一定の抵抗力を与えるので、使用者がハンドルを回転させるとき、所定以上の作用力を入れなければ、ハンドルを最大の傾斜角まで回転させることができない。弾性拡張部品が拡張され、かつ大径部まで移動するときは、使用者が手で水量制御弁ハンドル制御構造の識別效果を感じることができる。これにより、使用者が容易に大量給水モードに操作してしまうことを避け、水節約のメリット、目的を達成することができる。また、部品の構成が簡単で、容易に製造や組み立てることができるメリット、実用性・進歩性を有している。
【図面の簡単な説明】
【００１０】
【図１】本考案の好適な実施例に係る水量制御弁を示す外観斜視図である。
【図２】本考案の好適な実施例に係る水量制御弁の主な部品を示す分解斜視図である。
【図３】図２の局所の部品を示す拡大図である。
【図４】本考案の好適な実施例に係る水量制御弁において、ハンドルが垂直角度になったことを示す組立断面図である。
【図５】本考案の水量制御弁において、ハンドルが傾斜角度になり、給水モードになったことを示す組立断面図である。
【図６】図５のＢ部位を示す拡大図である。
【図７】本考案の水量制御弁において、ハンドルが最大傾斜角になったことを示す断面図である。
【考案を実施するための形態】
【００１１】
図１〜図３を参照すると、本考案の好適な実施例に係る水量制御弁ハンドルの二段式制御構造が示されている。後述する実施例は、本考案を説明するためのものであるが、本考案が後述する構造に限定されるものではない。二段式制御構造Ａは、水量制御弁Ｂにおいて、回転可能に設けられたハンドル１０と、該ハンドル１０の周辺に設けられた回転台２０とが対応する箇所に設けられる。該ハンドル１０は、ハンドル１０を回転台２０に形成された管口２１に取り付けるための横軸１１を含む。該二段式制御構造Ａは、径方向貫通収納孔１２と、階段状作動バー１３と、内部収納槽１４と、弾性拡張部品１５と、当接ガイド面２２とを含む。
【００１２】
前記径方向貫通収納孔１２は、前記ハンドル１０の横軸１１の下方から所定の距離離れた箇所に設けられ、かつ径方向に沿ってハンドル１０を貫通するように設けられている。
【００１３】
前記階段状作動バー１３は、軸方向移動可能に前記径方向貫通収納孔１２に収納される。該階段状作動バー１３は、大径部１３２と小径部１３４を備えている。該小径部１３４の外径は、大径部１３２より小さく、該大径部１３２と小径部１３４の端部はそれぞれ、向径方向に沿って収納穴１２の両側に挿入される。
【００１４】
前記内部収納槽１４は、孔径が拡大された状態に前記径方向貫通収納孔１２内の所定の箇所に設けられている。ハンドル１０が垂直角度の既有の閉鎖モードになるとき、該内部収納槽１４の位置と、階段状作動バー１３の小径部１３４の位置とが互いに対応する。
【００１５】
前記弾性拡張部品１５は、前記内部収納槽１４内に収納される。該弾性拡張部品１５は、階段状作動バー１３を挿入させるための穿設部１５２を備える。該穿設部１５２の内径は、階段状作動バー１３の小径部１３４の外径より大きく、かつ大径部１３２の外径より小さく設けられる。該穿設部１５２は、力を受けるときに拡張し、かつ元の形状に復帰する弾力を有している。
【００１６】
前記当接ガイド面２２は、回転台２０の管口２１内壁の所定の箇所に縦方向に延伸された形状に形成されている。該当接ガイド面２２は、階段状作動バー１３の大径部１３２の端部に常に当接されて、大径部１３２の端部が自由に移動しないようにガイドする。
【００１７】
前記弾性拡張部品１５は、Ｃ文字形部品又は弾性リング（例えば、ゴムリング）であることができる。図２、図３に示す弾性拡張部品１５は、Ｃ文字形部品であり、その材質は金属又はプラスチックにのみ限定されるものではない。
【００１８】
図３に示すとおり、前記ハンドル１０の片側において、横軸１１の下方から所定の距離離れた箇所には、組付穴１６が更に設けられている。該組付穴１６の内端が前記内部収納槽１４に連通されることにより、弾性拡張部品１５を該組付穴１６から内部収納槽１４内に取り付けることができる。
【００１９】
図３に示すとおり、前記階段状作動バー１３の軸方向（矢印Ｘ）と前記ハンドル１０の横軸１１の軸方向（矢印Ｙ）とは、相互に垂直に配置されている。
【００２０】
上述した構造を有する本考案の二段式制御構造Ａを使用するときの作動状況について、次のとおりに説明する。まず、図４に示すとおり、前記ハンドル１０が垂直角度の閉鎖モードになるとき、弾性拡張部品１５と階段状作動バー１３の小径部１３４とが互いに対向する状態になる。ハンドル１０が傾斜角度の給水モードになるようにハンドル１０を回転させる（図５の矢印Ｌ１）過程で、階段状作動バー１３が径方向貫通収納孔１２内で前記小径部１３４の端部の側へ移動する（図５、図６の矢印Ｌ２）。それにより、大径部１３２が弾性拡張部品１５が位置する箇所まで移動する。該弾性拡張部品１５が小径部１３４から大径部１３２に移動するとき、ハンドル１０の回転に一定の抵抗力を与えるので、使用者がハンドル１０を操作するとき、所定以上の作用力を入れなければ、ハンドル１０最大傾斜角（図７の矢印Ｌ３、即ち、最大給水量モード）まで回転させることができない。また、弾性拡張部品１５が拡張され、大径部１３２まで移動するときは、使用者が手で二段式制御構造の抵抗力を感じることができる。この効果によって、水節約というメリット、目的を達成することができる。前記ハンドル１０の回転角度は、蛇口のハンドルが回転する角度に対応する。本考案の二段式制御構造Ａの技術特徴により、使用者が蛇口のハンドルを上へ所定の角度（例えば、１５度）回転させるとき、使用者の手で抵抗力を感じることができるので、少量の水量が需要する場合、使用者が該ハンドルを上へ少し回転させることができる。大量の水量が需要する場合は、所定以上の作用力を入れなければ、該ハンドルを上へ回転させることができない。それにより、使用者が容易に全開の給水モードに操作してしまうことを避け、水節約のメリット、目的を達成することができる。
【００２１】
製造、組立について、次のとおりに説明する。本考案の二段式制御構造Ａは、該階段状作動バー１３及び弾性拡張部品１５という部品のみを更に用意する必要があるが、この２つの部品はいずれも、構造が簡単で、量産しやすいものである。前記径方向貫通収納孔１２はハンドル１０に一体成型し、当接ガイド面２２は回転台２０の管口２１の内壁に一体成型することができる。図３に示すとおり、前記ハンドル１０を回転台２０の管口２１に挿入する前に、前記弾性拡張部品１５を（注：ハンドル１０の片側にある組付穴１６を通して）内部収納槽１４内に取り付けることができる。次は、前記階段状作動バー１３を径方向貫通収納孔１２内に挿入させて、前記弾性拡張部品１５が階段状作動バー１３の小径部１３４に対応する箇所に結合されるようにする。次は、ハンドル１０を回転台２０の管口２１に取り付ける。この取付けが済むと、階段状作動バー１３の大径部１３２の端部が、回転台２０の管口２１の内壁に設けられた当接ガイド面２２に当接されるので、大径部１３２の端部の位置をガイドする構造が形成される。これにより、前記二段式制御構造Ａの組立が済む。上述した組立の過程で、前記階段状作動バー１３はハンドル１０の外径より長く、かつ小さすぎる部品ではないので、作業者が持って容易に組み立てることができ、かつ容易に落すことを避けることができる。前記弾性拡張部品１５は小さい部品であるが、径方向貫通収納孔１２に設けられた内部収納槽１４に取り付けると、安定に固定されるので、組立や位置合わせの作業に影響を与えない。上述したとおり、本考案に掲示された二段式制御構造Ａは、部品の構成が簡単であり、容易に製造や組み立てることができるメリット、実用性・進歩性を有している。
【００２２】
本考案に掲載された「水量制御弁ハンドルの二段式制御構造」は、径方向貫通収納孔、階段状作動バー、内部収納槽、弾性拡張部品、当接ガイド面を備えてなる新規な構造形態・技術特徴を有している。「背景技術」に記載されている従来の技術と比較してみると、本考案においては、使用者が手で水量制御弁ハンドルを操作するときに二段式制御構造の抵抗力を感じることができるので、水節約の効果を奏することができる。また、本考案は部品の構成が簡単であり、容易に製造や組み立てることができるメリット、実用性・進歩性を有している。
【００２３】
上述した実施例に記載されている内容は、本考案を詳細に説明するためのものであり、文中で専門用語で説明してきたが、それをより、本考案の実用新案登録請求の範囲を限定する意図はない。この分野の技術者が、本考案の技術を理解した上、本考案の要旨を逸脱しない変更や改造を行い、かつ同等な効果を得たとしても、当然後述する実用新案登録請求の範囲に含まれる。
【符号の説明】
【００２４】
Ａ  二段式制御構造
Ｂ  水量制御弁
１０  ハンドル
１１  横軸
１２  径方向貫通収納孔
１３  階段状作動バー
１３２  大径部
１３４  小径部
１４  内部収納槽
１５  弾性拡張部品
１５２  穿設部
１６  組付穴
２０  回転台
２１  管口
２２  当接ガイド面
【図１】
0003191197.tif 000003
【図２】
0003191197.tif 000004
【図３】
0003191197.tif 000005
【図４】
0003191197.tif 000006
【図５】
0003191197.tif 000007
【図６】
0003191197.tif 000008
【図７】
0003191197.tif 000009